(57)【要約】【課題】より高い美容作用や健康作用を得ることが可能なミスト発生装置を提供する。【解決手段】液剤Ｍ２を静電霧化して噴霧する液剤噴霧機構１３を、ミストＭ１を発生させるミスト発生機構１２とは別に備える。このため、ミスト発生機構１２から発生されるミストＭ１に加えて、液剤噴霧機構１３からは、静電霧化によって粒径が微細化された液剤Ｍ２（例えば保湿剤等）の噴霧が可能である。【選択図】図１
2010172659.tif 000002
【特許請求の範囲】
【請求項１】
ミストを発生させるミスト発生機構を備えたミスト発生装置において、
液剤を静電霧化して噴霧する液剤噴霧機構を前記ミスト発生機構とは別に備えたミスト発生装置。
【請求項２】
請求項１に記載のミスト発生装置において、
前記ミスト発生機構及び前記液剤噴霧機構は、それぞれ噴霧したミストと液剤とを互いに混合可能に構成されたことを特徴とするミスト発生装置。
【請求項３】
請求項２に記載のミスト発生装置において、
前記ミスト発生機構のミスト吐出口及び前記液剤噴霧機構の液剤噴霧口は、それらの開口軸が互いに交差するような形状を有していることを特徴とするミスト発生装置。
【請求項４】
請求項２に記載のミスト発生装置において、
前記ミスト発生機構から発生されるミストを、前記液剤噴霧機構にて静電霧化された前記液剤の電位とは逆の電位のイオンに帯電させるイオン発生機構を備えたことを特徴とするミスト発生装置。
【請求項５】
請求項４に記載のミスト発生装置において、
前記ミスト発生機構、前記液剤噴霧機構及び前記イオン発生機構を制御して、静電霧化された前記液剤と前記イオン発生機構により帯電された前記ミストとを必ず同時に噴霧させる制御部を備えたことを特徴とするミスト発生装置。
【発明の詳細な説明】
【技術分野】
【０００１】
本発明は、ミスト発生装置に関するものである。
【背景技術】
【０００２】
従来、ミスト生成して放出するミスト発生装置は、美顔器や加湿器等に広く用いられている（例えば特許文献１参照）。このようなミスト発生装置において、例えば美顔器では、加熱機構等により発生させたミストを顔に当てることで、肌に潤いを与えたり、古い角質や汚れを落としたりすることが可能であり、美容作用や健康作用が得られるようになっている。
【先行技術文献】
【特許文献】
【０００３】
【特許文献１】特開２００４−３６１００９号公報
【発明の概要】
【発明が解決しようとする課題】
【０００４】
近年、美容健康への人々の意識はますます高まっており、上記のようなミスト発生装置においても更なる改善の余地があった。
本発明は、上記課題を解決するためになされたものであって、その目的は、より高い美容作用や健康作用を得ることが可能なミスト発生装置を提供することにある。
【課題を解決するための手段】
【０００５】
上記課題を解決するために、請求項１に記載の発明は、ミストを発生させるミスト発生機構を備えたミスト発生装置において、液剤を静電霧化して噴霧する液剤噴霧機構を前記ミスト発生機構とは別に備えたことを特徴とする。
【０００６】
この発明では、ミスト発生機構から発生されるミストに加えて、液剤噴霧機構からは、静電霧化によって粒径が微細化された液剤（例えば保湿剤等）の噴霧が可能である。静電霧化により微細化された液剤は、例えば肌の角質層表面の隙間に浸透可能であるため、肌に液剤の成分を効果的に供給することができ、より高い美容作用や健康作用を得ることが可能となる。また、静電霧化により帯電された液剤の噴霧により、肌へ的確に且つ均一に塗布ことが可能となる。
【０００７】
請求項２に記載の発明は、請求項１に記載のミスト発生装置において、前記ミスト発生機構及び前記液剤噴霧機構は、それぞれ噴霧したミストと液剤とを互いに混合可能に構成されたことを特徴とする。
【０００８】
一般に、ミスト発生機構にて発生されたミストは遠くに飛ばすことが可能であり、それに比べて、静電霧化された液剤は、粒が細かく空気中で分散しやすいため遠くに飛ばすことが難しい。この発明では、噴霧されたミスト及び液剤を空気中で混合させることが可能となるため、ミスト発生機構からのミストとともに液剤を遠くへ飛散させることが可能となる。
【０００９】
請求項３に記載の発明は、請求項２に記載のミスト発生装置において、前記ミスト発生機構のミスト吐出口及び前記液剤噴霧機構の液剤噴霧口は、それらの開口軸が互いに交差するような形状を有していることを特徴とする。
【００１０】
この発明では、噴霧されたミスト及び液剤を空気中で混合させることが可能となり、液剤を遠くへ飛散させることが可能となる。
請求項４に記載の発明は、請求項２に記載のミスト発生装置において、前記ミスト発生機構から発生されるミストを、前記液剤噴霧機構にて静電霧化された前記液剤の電位とは逆の電位のイオンに帯電させるイオン発生機構を備えたことを特徴とする。
【００１１】
この発明では、静電霧化されることで帯電された液剤と、イオン発生機構により液剤とは逆の電位に帯電されたミストとを、空気中で電気的に引き寄せて混合させることが可能となり、液剤を遠くへ飛散させることが可能となる。
【００１２】
請求項５に記載の発明は、請求項４に記載のミスト発生装置において、前記ミスト発生機構、前記液剤噴霧機構及び前記イオン発生機構を制御して、静電霧化された前記液剤と前記イオン発生機構により帯電された前記ミストとを必ず同時に噴霧させる制御部を備えたことを特徴とする。
【００１３】
この発明では、制御部の制御により、静電霧化された液剤とイオン発生機構によって帯電されたミストとが必ずともに噴霧されるため、例えば複数のスイッチを複雑に操作することなくミストと液剤とを同時噴霧することができ、また、液剤を確実に遠くに飛散させることができる。
【発明の効果】
【００１４】
従って、上記記載の発明によれば、より高い美容作用や健康作用を得ることが可能となる。
【図面の簡単な説明】
【００１５】
【図１】本実施形態のミスト発生装置の模式図である。
【図２】別例のミスト発生装置の模式図である。
【発明を実施するための形態】
【００１６】
以下、本発明を具体化した一実施形態を図面に従って説明する。
図１に示すように、本実施形態のミスト発生装置は、ケース１１と、該ケース１１内に略収容されたミスト発生機構１２及び液剤噴霧機構１３と、同ケース１１内に収容された制御部１４とを備え、例えば美顔器や加湿器等として用いられるものである。
【００１７】
ケース１１には、上方（天方向）に開口したミスト用開口部１１ａと、側方（図１における左側）に開口した液剤噴霧口１１ｂとが形成されている。尚、ケース１１は、例えば、上方が開口した有底四角筒状のケース本体と、そのケース本体の上端開口部を覆う蓋部材等からなるが、図１では、それらを一体的に模式的に図示している。
【００１８】
ミスト発生機構１２は、着脱可能なタンク２１から水Ｗが供給される貯水槽２２と、貯水槽２２と連通管２３を介して連通され該貯水槽２２の水ＷからミストＭ１を発生させるミスト発生部２４と、ミスト発生部２４と連通されたミスト移送経路２５を介して発生したミストＭ１を吐出するためのミスト吐出口２６とを備える。
【００１９】
本実施形態のミスト発生部２４は、水Ｗを加熱してミストＭ１を発生させる加熱式のものであって、ヒータ２４ａを備えたものである。又、前記ミスト吐出口２６は、前記ミスト用開口部１１ａからケース１１の外部に突出するとともに略直角に屈曲し、図１における左側（前記液剤噴霧口１１ｂと同じ側）を向くように設けられている。また、本実施形態では、ミスト吐出口２６の開口軸Ｌ１は、水平面と平行をなしている。
【００２０】
液剤噴霧機構１３は、保湿剤や美白剤等の液剤（そのミスト）Ｍ２を液剤噴霧口１１ｂから噴霧するためのものである。詳しくは、液剤噴霧機構１３は、液剤を貯蔵するための液剤貯蔵部３１と、液剤貯蔵部３１と連通されたノズル３２と、ノズル３２に設けられたポンプ３３と、高圧電源回路３４と、前記液剤噴霧口１１ｂとを備える。ポンプ３３は、液剤貯蔵部３１内の液剤をノズル３２に送り込むためのものである。ノズル３２は、その先端部３２ａが液剤噴霧口１１ｂの内側に位置するように構成されている。高圧電源回路３４は、ノズル先端部３２ａに到達した液剤をコロナ放電により静電霧化するためのものである。静電霧化により液剤Ｍ２は微細化されて、その液剤Ｍ２を例えば顔に浴びることで肌の角質層表面の隙間に浸透させることが可能であり、高い美容作用や健康作用を得ることが可能となっている。
【００２１】
液剤噴霧口１１ｂは、円筒状をなし、ミスト吐出口２６から噴霧されたミストＭ１に向かうようにケース側面１１ｃから斜め上方に向かって突出している。即ち、液剤噴霧口１１ｂの開口部１１ｄ（内周面）は、水平面に対して斜め上方に傾斜する形状をなしており、その開口軸Ｌ２がミスト吐出口２６の開口軸Ｌ１と交差するようになっている。本実施形態では、液剤噴霧口１１ｂの開口軸Ｌ２は、水平面に対する傾斜角度が０度よりも大きく９０度よりも小さい所定角度に設定されている。尚、ミスト吐出口２６及び液剤噴霧口１１ｂは、ミスト吐出口２６の開口軸Ｌ１方向から見て上下方向に並設され、本実施形態では、液剤噴霧口１１ｂがミスト吐出口２６よりも下側に配置されている。
【００２２】
制御部１４は、図示しない操作スイッチ等の操作に基づき、ミスト発生機構１２のヒータ２４ａに通電する制御と、液剤噴霧機構１３のポンプ３３及び高圧電源回路３４を駆動する制御とを行う。
【００２３】
ヒータ２４ａの加熱により発生したミストＭ１は、ミスト移送経路２５を通ってミスト吐出口２６から噴霧される。一方、高圧電源回路３４の電圧印加によりノズル先端部３２ａで静電霧化された液剤Ｍ２は、液剤噴霧口１１ｂから噴霧されるようになっている。このとき、ミスト吐出口２６と液剤噴霧口１１ｂの開口軸Ｌ１，Ｌ２が互いに交差しているため、噴霧されたミストＭ１と液剤Ｍ２とが空気中で混合される。ここで、ミストＭ１は、加圧蒸気圧の力で空気中で分散し難く、比較的遠くに飛ばすことが可能となっている。本実施形態では、噴霧されたミストＭ１と液剤Ｍ２とを空気中で混合させることが可能であるため、静電霧化された液剤Ｍ２をミストＭ１とともに遠くに飛ばすことが可能となっている。
【００２４】
また、上記のようなミスト発生装置では、２種類のミスト（ミストＭ１と液剤Ｍ２）が噴霧可能であるため、水のミストＭ１によって肌の表面に潤いを与えるとともに、帯電した微細な液剤のミスト（液剤Ｍ２）によってその成分を肌へ均一に与えて、肌の内側まで届けることが可能であり、より高い美容健康作用を与えることが可能となっている。
【００２５】
次に、本実施形態の特徴的な作用効果を記載する。
（１）本実施形態では、液剤Ｍ２を静電霧化して噴霧する液剤噴霧機構１３を、ミストＭ１を発生させるミスト発生機構１２とは別に備える。このため、ミスト発生機構１２から発生されるミストＭ１に加えて、液剤噴霧機構１３からは、静電霧化によって粒径が微細化された液剤Ｍ２（例えば保湿剤等）の噴霧が可能である。静電霧化により微細化された液剤Ｍ２は、例えば肌の角質層表面の隙間に浸透可能であるため、肌に液剤Ｍ２の成分を効果的に供給することができ、より高い美容作用や健康作用を得ることが可能となる。また、静電霧化により帯電された液剤Ｍ２の噴霧により、肌へ的確に且つ均一に塗布ことが可能となる。
【００２６】
（２）本実施形態では、ミスト発生機構１２及び液剤噴霧機構１３は、それぞれ噴霧したミストＭ１と液剤とを互いに混合可能に構成されるため、ミスト発生機構１２からのミストＭ１とともに液剤Ｍ２を遠くへ飛散させることが可能となる。
【００２７】
（３）本実施形態では、ミスト発生機構１２のミスト吐出口２６及び液剤噴霧機構１３の液剤噴霧口は、それらの開口軸Ｌ１，Ｌ２が互いに交差するような形状を有しているため、噴霧されたミストＭ１及び液剤Ｍ２を空気中で混合させることが可能となり、その結果、液剤Ｍ２を遠くへ飛散させることが可能となる。
【００２８】
尚、本発明の実施形態は、以下のように変更してもよい。
・上記実施形態では、液剤噴霧口１１ｂ（又はミスト吐出口２６）の開口形状により、噴霧されたミストＭ１及び液剤Ｍ２を空気中で混合させるように構成したが、これ以外の構成でミストＭ１及び液剤Ｍ２が空気中で混合するように構成してもよい。
【００２９】
例えば、図２に示すように、静電霧化されることで帯電された液剤Ｍ２とは逆の電位にミストＭ１を帯電させるためのイオン発生機構４１を設け、イオン発生機構４１により帯電されたミストＭ１と液剤Ｍ２とを電気的に引き寄せて混合するように構成してもよい。尚、この図２に示す構成では、液剤Ｍ２が静電霧化により例えばプラスに帯電されるようになっている。イオン発生機構４１は、ミスト吐出口２６の上部に設けられている。イオン発生機構４１は、高圧電源回路４２と、針状の放電針４３と、グランドに接続された対向電極４４とで構成されており、高圧電源回路４２により放電針４３及び対向電極４４間にマイナスの高電圧を印加することでコロナ放電を発生させ、マイナスイオンが発生されるようになっている。イオン発生機構４１にて発生されたマイナスイオンは、ミストＭ１の噴霧方向と略同方向に放出され、ミスト吐出口２６から噴霧されたミストＭ１と混合される。これにより、ミストＭ１がマイナスに帯電されるようになっている。
【００３０】
制御部４５は、図示しない操作スイッチ等の操作に基づき、ヒータ２４ａに通電する制御と、液剤噴霧機構１３のポンプ３３及び高圧電源回路３４を駆動する制御と、イオン発生機構４１の高圧電源回路４２を駆動する制御を行う。これにより、静電霧化によりプラスに帯電された液剤Ｍ２とイオン発生機構４１によりマイナスに帯電されたミストＭ１とが同時に噴霧されるようになっている。
【００３１】
このような構成によれば、静電霧化により帯電された液剤Ｍ２と、イオン発生機構４１によって液剤Ｍ２とは逆の電位に帯電されたミストＭ１とを、空気中で電気的に引き寄せて混合させることが可能となり、液剤Ｍ２を遠くへ飛散させることが可能となる。また、制御部４５は、前記操作スイッチの操作に基づき、ミストＭ１と液剤Ｍ２とを必ず同時に噴霧させるため、例えば複数のスイッチを複雑に操作することなくミストＭ１と液剤Ｍ２とを同時噴霧することができ、また、液剤Ｍ２を確実に遠くに飛散させることができる。
【００３２】
尚、図２に示す構成において、イオン発生機構４１をミスト吐出口２６の幅方向の側方に設けてもよい。また、液剤Ｍ２をマイナスに帯電させ、ミストＭ１をプラスに帯電させるように構成してもよい。また、制御部４５は、所定のスイッチ操作に基づき、液剤Ｍ２を噴霧させずにイオン発生機構４１によりマイナスに帯電されたミストＭ１（又は非帯電のミストＭ１）のみを噴霧させるように制御可能である。また、逆にミストＭ１を噴霧させずに液剤Ｍ２のみを噴霧させるように制御することも可能である。
【００３３】
また、図２に示す構成では、ミスト吐出口２６及び液剤噴霧口１１ｂは、噴射方向（開口軸Ｌ１方向）が互いに平行をなしているが、これに限らず、例えば上記実施形態のように、開口軸が互いに交差するように構成してもよい。また、イオン発生機構４１は、コロナ放電を利用してマイナスイオンを発生させているが、こうした構成に限らず、高速回転させたプロペラなどにより液体を拡散させて水分子が破砕される、所謂水破砕式のマイナスイオンの発生方法を採用してもよい。この他、電子放射式などを用いてマイナスイオンを発生させる方法を採用してもよい。
【００３４】
・上記実施形態では、液剤噴霧機構１３の液剤噴霧口１１ｂは、ケース１１に一体に形成されたが、これに特に限定されるものではなく、例えば、液剤噴霧口としての筒状部材を別途設けてもよい。
【００３５】
・上記実施形態では、液剤噴霧口１１ｂは、ケース側面１１ｃから外側に突出するように形成されたが、特にこれに限らず、突出部分がない形状としてもよい。また、上記実施形態では、液剤噴霧口１１ｂを円形状（円筒状）としたが、これ以外に例えば、楕円形状としてもよい。
【００３６】
・上記実施形態では、ミスト吐出口２６及び液剤噴霧口１１ｂは、ミスト吐出口２６の開口軸Ｌ１方向から見て上下方向に並設されたが、ミスト吐出口２６及び液剤噴霧口１１ｂの配置位置は、上記実施形態のものに限定されるものではなく、例えば、幅方向（図１における紙面直交方向）に並設してもよく、また、ミスト吐出口２６の開口軸Ｌ１方向から見て斜め方向に並設してもよい。また、上記実施形態では、液剤噴霧口１１ｂはミスト吐出口２６よりも下側に配置されたが、反対にミスト吐出口２６を液剤噴霧口１１ｂの下側に配置してもよい。
【００３７】
・上記実施形態では、開口軸Ｌ１が水平面と平行になるように構成されたミスト吐出口２６に対し、液剤噴霧口１１ｂの開口軸Ｌ２をミスト吐出口２６の開口軸Ｌ１側に傾斜させることで各開口軸Ｌ１，Ｌ２が互いに交差するように構成されたが、これ以外に例えば、液剤噴霧口１１ｂの開口軸Ｌ２を水平面と平行にするとともに、ミスト吐出口２６の開口軸Ｌ１を液剤噴霧口１１ｂの開口軸Ｌ２側に傾斜させてもよく、また、各開口軸Ｌ１，Ｌ２が水平面に対して傾斜するように構成してもよい。
【００３８】
・上記実施形態では、ミスト発生機構１２のミスト発生部２４に加熱式のものを用いたが、これ以外に例えば、液体を超音波にて霧化させる超音波式のものや、霧吹き等の原理で知られるベンチュリー効果を用いたものとしてもよい。
【符号の説明】
【００３９】
Ｌ１…ミスト吐出口の開口軸、Ｌ２…液剤噴霧口の開口軸、Ｍ１…ミスト、Ｍ２…液剤、１１ｂ…液剤噴霧口、１２…ミスト発生機構、１３…液剤噴霧機構、１４，４５…制御部、２６…ミスト吐出口、４１…イオン発生機構。
【図１】
2010172659.tif 000003
【図２】
2010172659.tif 000004